(57)【要約】【課題】十分な軸方向保持力を有しつつ、壁に可能な限り大きなトルクを伝達することができる締結要素をつくり出すこと。【解決手段】壁の方形開口部に挿入される締結要素（１）であって、該開口部を通過する、断面形状が方形の形状である頚部（７）と、締結要素（１）が開口部内に配置されたときに、開口部の周りの壁の縁部を覆う、頚部（７）上に配置されたフランジ（４）と、ネジを収容するためにフランジ（４）を貫通して頚部（７）内に延びる内腔（３）とを有し、係止部（８）が、壁の開口部に締結要素（１）を固定するために頚部（７）の対向する２つの側部だけに設けられ、それらの各々が、頚部（７）の弾性変形可能な壁部分（１２）に一体化される。弾性変形可能な壁部分（１２）は、いずれの係止部も支持しない剛性のある２つの壁部分によって連結されている。【選択図】　　　　　図２
2004044806.tif 000002
【特許請求の範囲】
【請求項１】
壁の開口部に通すための断面形状が特に正方形である方形の形状の頚部と、
前記締結要素が前記開口部内に配置されたときに、前記開口部の周りの壁の縁部を覆う、前記頚部上に配置されたフランジと、
ネジを収容するために前記フランジを貫通して前記頚部内に延びる内腔と、
前記締結要素を前記壁の開口部に固定するために、前記頚部の少なくとも対向する側部に配置された外方に突出するバネ性係止部と、
を備える壁、特に車体の方形開口部へ挿入するための締結要素であって、
前記係止部（８）が、前記頚部（７）の対向する２つの側部だけに、それぞれの場合において前記頚部（７）の弾性変形可能な壁部分（１２）に一体化されて形成され、前記弾性変形可能な壁部分（１２）が、いずれの係止部も支持しない剛性のある２つの壁部分（１３）によって連結されていることを特徴とする締結要素。
【請求項２】
前記係止部（８）を支持する前記壁が、縦方向に延びる陥凹部（１１）によって、外側バネ性壁部分（１２）と内側壁部分とに細分されることを特徴とする、請求項１に記載の締結要素。
【請求項３】
前記内側壁部分が、前記内腔（３）の縦方向に延び、前記陥凹部（１１）に通じる半径方向スリット（１５）によって横方向に解放されるバネ性舌状部（１６）を形成することを特徴とする請求項２に記載の締結要素。
【請求項４】
前記バネ性係止部（８）が各々、差込傾斜部（９）と支持面（１０）とを有し、前記差込傾斜部（９）が、壁開口部へ挿入するときに前記係止部（８）を押し込む働きをし、前記支持面（１０）が、前記係止部（８）の変形が戻った後で、前記フランジ（４）とは反対の側の壁に支持されるのに好適であることを特徴とする、先行する請求項のいずれかに記載の締結要素。
【請求項５】
前記フランジ（４）が、前記周縁部（６）によって形成される前記支持面に対して横方向に弾性変形可能であることを特徴とする、先行する請求項のいずれかに記載の締結要素。
【請求項６】
前記壁（１９）の開口部（１８）内に前記締結要素（１）を固定するための保持手段は、前記締結要素（１）の取付け位置において、前記フランジ周縁部（６）により前記壁（１９）上で支持される前記フランジ（４）が弾性的に変形可能であるように配置されることを特徴とする先行する請求項のいずれかに記載の締結要素。
【請求項７】
前記フランジ（４）と反対の側で前記頚部（７）を延長する軸部（１４）を備え、該軸部内にネジを収容するための前記内腔（３）が延びていることを特徴とする、先行する請求項のいずれかに記載の締結要素。
【請求項８】
前記軸部（１４）の自由端が閉止されていることを特徴とする、請求項７に記載の締結要素。
【発明の詳細な説明】
【０００１】
【発明の属する技術分野】
本発明は、方形、特に正方形の壁開口部への挿入のための締結要素であって、開口部を通過する、断面形状が特に正方形である方形の形状の頚部と、締結要素が開口部内に配置されたときに開口部の周りの壁の縁部を覆う、頚部上に配置されたフランジと、ネジを収容するためにフランジを貫通して頚部内に延びる内腔と、壁の開口部に締結要素を固定するための少なくとも２つのバネ性係止部とを有する締結要素に関する。
【０００２】
【従来技術】
このような締結要素は、壁の開口部内の頚部によって回転に抗して固定され、従って、該内腔への締付けネジのねじ込みのときに、ネジを回転させるトルクに反して壁へのカウンタートルクを伝達することができる。締結要素は、係止部の助けを用いて、開口部からの離脱に抗して固定される。可能な限り強い軸方向保持力を得るために、上述の種類の公知の締結要素は、４つの側部全てにバネ性係止部が設けられている。この場合には、内部へのねじ込みに対して限定されたカウンタートルクしか得られないことが分かっている。ネジ又は内腔の寸法における不利な偏差に互いに遭遇した場合には、締結要素の過回転、従って組立作業の欠陥が生じる可能性がある。
【０００３】
【発明が解決しようとする課題】
本発明の目的は、十分な軸方向保持力を有しつつ、壁に可能な限り大きなトルクを伝達することができる、冒頭に述べた種類の締結要素をつくり出すことである。
【０００４】
【課題を解決するための手段】
本発明によれば、この目的は、係止部が頚部の対向する２つの側部だけに、頚部の弾性変形可能な壁部分に一体化されてそれぞれ形成され、該弾性変形可能な壁部分が、いずれの係止部も支持しない剛性のある２つの壁部分によって連結されている点において達成される。
【０００５】
本発明による締結要素の構造により、壁への比較的大きなトルクの伝達に好適な、係止部領域における十分な弾性と、十分な保持力と、ねじりに対する剛性のある頚部とを生成することができることが見出された。従って、該締結要素は、比較的大きなねじ込みトルクを必要とする、タッピングネジ及び緩み止めネジにとりわけ好適である。
【０００６】
本発明の更なる提案によれば、係止部を支持する壁は、縦方向に延びる陥凹部によって、外側バネ性壁部分と内側バネ性壁部分とに分割することができる。
【０００７】
本発明の更なる提案によれば、締結要素のフランジが拡がりに対して横方向に弾性変形可能であるように提供され、且つ壁の開口部に締結要素を固定するための保持手段は、締結要素の取付け位置が周縁部によって壁で支持されるフランジの弾性変形によってのみ得られるような構造であるように提供されることができる。このようにして、フランジは、締結要素の組立の際に付勢されるバネ要素を形成し、軸方向の遊びなしに締結要素を保持する。更に、簡潔な手段により製造時における寸法の偏差を補償するために十分なバネ移動量が得られる。
【０００８】
係止部は、好ましくは差込傾斜部と支持面とをそれぞれ有し、該差込傾斜部は壁開口部への挿入のときに係止部を共に押し込む働きをし、支持面は係止部の解放後にフランジとは反対の側の壁に支持されるのに好適である。
【０００９】
本発明の更なる提案によれば、締結要素は、フランジと反対の側で頚部を延長する軸部を備え、該軸部内に、ネジを収容する内腔が延びる。軸部の自由端は、開口部の緊密な閉鎖を可能とするために閉止することができる。
【００１０】
【発明の実施の形態】
本発明は、例証として図に表される実施形態を参照してより詳細に以下に説明される。
【００１１】
図１から図３に示される締結要素１は、合成材料の止め具であり、例えば車体上の金属薄板壁の正方形開口部へ挿入して、止め具にねじ込まれたネジによって該壁に部品を固定可能とすることを意図するものである。
【００１２】
締結要素１は、一端が閉止された中心内腔３を有する細長いスリーブ２からなる。スリーブ２の開放端部には円形のフランジ４が成形されており、内腔３と同軸で配置され、全ての側部でスリーブ２から突出している。フランジ４は、スリーブ２に面する該フランジの下側に環状の凹部５を備える。凹部５は、半径方向内方でスリーブ２の外側表面によって境界付けられ、半径方向外方でフランジ４の周縁部６によって境界付けられる。
【００１３】
スリーブ２の外側表面は、基本的には正方形の基部を有する階段ピラミッドの形状であり、ピラミッドの頂点はスリーブの閉止端を形成する。ピラミッドの脚部は、フランジ４に隣接して、締結要素１の取付け位置で壁開口部に係合する頚部７を形成する。該開口部の四角形状により、頚部７は、回転に抗する適切な形状の開口部に固定され、また内腔３にねじ込まれるネジトルクに反して、壁へのカウンタートルクを伝達することができる適所に固定することができる。
【００１４】
頚部７は、対向する２つの側部にスリーブの閉止端に向いた差込傾斜部９とフランジ４と対向する支持面１０とを有する、外側に突出する２つの係止部８を備える。係止部８の近傍において、内腔３に平行に延びる陥凹部１１によってスリーブの壁が薄くなっている。このようにして、開口部へ締結要素１を挿入するときに、係止部８を支持する壁部分１２の弾性変形性が開口部の縁部と係止部の差込傾斜部９との接触によって係止部８が内方へ押し込まれる程度にまで高められ、これにより係止部８は両係止部間の距離と比較してより狭い壁開口部を通過することができる。係止部８の支持面１０は、フランジ４とは反対にある、締結要素１を収容する壁の側部と接触した状態にあるように意図される。周縁部６の接触面からの支持面１０の距離は、締結要素が対象とする壁の厚みよりも若干小さい。締結要素１が壁の開口部に挿入されるとき、周縁部６で壁に接触したフランジ４は、スリーブ２への軸方向の圧力によって弾性変形されるはずであり、その結果、反対側の係止部８は壁開口部から現れ出てくることになり、ここで係止部の支持面１０による壁との接触が形成される。
【００１５】
係止部８を支持しない、頚部７の壁部分１３は、剛体の構造である。従って、該壁部分により、内腔３にねじ込まれるネジに加わる大きな保持力の受け入れと、及び締結要素１を収容する壁への大きなトルク伝達が可能となる。
【００１６】
頚部７に隣接するスリーブ２部分は軸部１４を形成し、該軸部のピラミッド型の頂点により開口部への締結要素１の導入が容易になる。
【００１７】
陥凹部１１は、該陥凹部の横方向の端部で半径方向のスリット１５によって内腔３につながっている。これにより、半径方向でバネ性のある舌状部１６が形成され、該舌状部が内腔３へのネジのねじ込みによって半径方向外方に押されて、壁部分１２に接触する状態となる。ネジ山は、壁部分１３及び軸部１４の壁にだけ切り込まれる。舌状部１６は、ネジと壁部分１２との間の間隔を満たし、その結果、壁部分１２の半径方向内方を支持する。これにより、係止部８を保持位置に係止し、その結果、壁開口部に取付けられた締結要素１は、離脱に抗して実質的に固定される。
【００１８】
壁内で締結要素１を収容する開口部を密封するために、密封用リングをフランジ４の凹部５内に配置することができ、該リングは締結要素１を取付けるときに、フランジ４と壁との間に固定される。
【００１９】
図４において、締結要素１の取付けが例示されている。ここでは、締結要素１は、壁１９の正方形開口部１８に配置されている。この位置で、締結要素は係止部８によって堅固に保持され、該係止部の支持面１０は、挿入方向で見て、壁の後面２０に接触した状態にある。締結要素１の取付けに際して、フランジ４は挿入方向に抗するスリーブ２への圧力によって弾性変形し、その結果、周縁部６によって変形力と釣り合う力で壁前面２１で支持される。
【図面の簡単な説明】
【図１】本発明による止め具構造の締結要素のＩ−Ｉ断面を示す図である。
【図２】図１による締結要素のＩＩ−ＩＩ断面を示す図である。
【図３】図１による締結要素のフランジ端部を示す図である。
【図４】取付け位置における図１による締結要素を示す図である。
【符号の説明】
１　締結要素
３　内腔
４　フランジ
７　頚部
８　係止部
１２　弾性変形可能な壁部分
１３　剛性の壁部分
【図１】
2004044806.tif 000003
【図２】
2004044806.tif 000004
【図３】
2004044806.tif 000005
【図４】
2004044806.tif 000006